【手続補正書】
【提出日】平成18年3月29日(2006.3.29)
【手続補正１】
【補正対象書類名】明細書
【補正対象項目名】発明の名称
【補正方法】変更
【補正の内容】
【発明の名称】フレキシブル配線基板、基板接続構造物、液晶装置、電気光学装置及び電子機器
【手続補正２】
【補正対象書類名】明細書
【補正対象項目名】特許請求の範囲
【補正方法】変更
【補正の内容】
【特許請求の範囲】
【請求項１】  フレキシブル配線基板であって、
基材と、
前記基材の第１の面に設けられた第１の端子群と、
前記基材の第２の面に、前記第１の端子群に重なるように設けられ、前記基材よりも剛性の高いフィルムと、
を具備することを特徴とするフレキシブル配線基板。
【請求項２】  請求項１に記載のフレキシブル配線基板であって、
前記第１の端子群は、前記基材の端部に沿って設けられていることを特徴とするフレキシブル配線基板。
【請求項３】  請求項１または２に記載のフレキシブル配線基板であって、
前記基材の分岐した延在部の前記第１の面に設けられた第２の端子群と、
前記基材の前記第２の面に、前記第２の端子群に重なるように設けられ、前記基材よりも剛性の高いフィルムと、
を具備することを特徴とするフレキシブル配線基板。
【請求項４】  請求項１乃至３のいずれかに記載のフレキシブル配線基板であって、
前記基材の前記第２の面に、カバーレイフィルムが貼り付けられ、
前記剛性の高いフィルムは、カバーレイフィルムと同一の材料を含むことを特徴とするフレキシブル配線基板。
【請求項５】  請求項１乃至４のいずれかに記載のフレキシブル配線基板であって、
前記剛性の高いフィルムは、前記第１の端子群が設けられた領域からはみ出したはみ出し部を有することを特徴とするフレキシブル配線基板。
【請求項６】  請求項４に記載のフレキシブル配線基板であって、
前記第１の端子群に重なるフィルムと前記カバーレイフィルムとの間に、当該カバーレイフィルムを設けない領域が設けられていることを特徴とするフレキシブル配線基板。
【請求項７】  端子群が設けられたフレキシブル配線基板の基材と、基板側端子群が設けられた基板とを、前記端子群と前記基板側端子群とが対向するように接続した基板接続構造物であって、
前記基材の前記端子群が設けられた側とは反対側の面上であって、前記基材と前記基板との接続領域と重なる領域に、前記基材よりも剛性の高いフィルムを設けたことを特徴とする基板接続構造物。
【請求項８】  基板に設けられた基板側端子群と、
フレキシブル配線基板の基材に設けられ、前記基板側端子群と接続される端子群と、
前記基材の前記端子群が設けられた側とは反対側の面上であって、前記端子群に重なる位置に設けられた、前記基材よりも剛性の高いフィルムと、
を有することを特徴とする電気光学装置。
【請求項９】  請求項８に記載の電気光学装置であって、
前記基材の前記端子群が設けられた側とは反対側の面上にカバーレイフィルムが設けられ、
前記端子群に重なるフィルムと前記カバーレイフィルムとの間に、当該カバーレイフィルムを設けない領域が設けられており、
前記カバーレイフィルムを設けない領域において、前記フレキシブル配線基板が折り曲げられていることを特徴とする電気光学装置。
【請求項１０】  互いに対向配置されてなる一対の基板を有する液晶装置であって、
前記一対の基板のうち一方の基板に設けられ、前記一対の基板のうち他方の基板の端縁から張り出した張り出し部分と、
前記張り出し部分に設けられた基板側端子群と、
フレキシブル配線基板の基材に設けられ、前記基板側端子群と接続される端子群と、
前記基材の前記端子群が設けられた側とは反対側の面上であって、前記端子群に重なる位置に設けられた、前記基材よりも剛性の高いフィルムと、
を有することを特徴とする液晶装置。
【請求項１１】  請求項８または９に記載の電気光学装置、若しくは、請求項１０に記載の液晶装置を表示部として有することを特徴とする電子機器。
【手続補正３】
【補正対象書類名】明細書
【補正対象項目名】００１２
【補正方法】変更
【補正の内容】
【００１２】
【課題を解決するための手段】
本発明に係るフレキシブル配線基板は、フレキシブル配線基板において、基材と、前記基材の第１の面に設けられた端子群と、前記基材の第２の面に、前記端子群に対応するように設けられ、前記基材よりも剛性の高いフィルムと、を具備することが好ましい。
【手続補正４】
【補正対象書類名】明細書
【補正対象項目名】００１４
【補正方法】変更
【補正の内容】
【００１４】
本発明のフレキシブル配線基板は、フレキシブル配線基板であって、基材と、前記基材の第１の面に設けられた第１の端子群と、前記基材の第２の面に、前記第１の端子群に重なるように設けられ、前記基材よりも剛性の高いフィルムと、を具備することを特徴とする。この構成によれば、基材と基板の接続領域が補強される。
【手続補正５】
【補正対象書類名】明細書
【補正対象項目名】００１６
【補正方法】変更
【補正の内容】
【００１６】
また、本発明のフレキシブル配線基板は、前記基材の分岐した延在部の前記第１の面に設けられた第２の端子群と、前記基材の前記第２の面に、前記第２の端子群に重なるように設けられ、前記基材よりも剛性の高いフィルムと、を具備する。
【手続補正６】
【補正対象書類名】明細書
【補正対象項目名】００１８
【補正方法】変更
【補正の内容】
【００１８】
また、前記基材の前記第２の面に、カバーレイフィルムが貼り付けられ、前記剛性の高いフィルムは、カバーレイフィルムと同一の材料を含む。これにより新たにフィルムを形成することなく、工程が簡素化される。
【手続補正７】
【補正対象書類名】明細書
【補正対象項目名】００２０
【補正方法】変更
【補正の内容】
【００２０】
また、前記第１の端子群に重なるフィルムと前記カバーレイフィルムとの間に、当該カバーレイフィルムを設けない領域が設けられている。これにより基板の可撓性は維持される。
【手続補正８】
【補正対象書類名】明細書
【補正対象項目名】００２１
【補正方法】変更
【補正の内容】
【００２１】
本発明に係る接続構造は、フレキシブル配線基板の基材に設けられた端子群と、基板に設けられた基板側端子群とを異方性導電接着剤を介して接続した構造において、前記基材の前記端子群が設けられた側とは反対側であって、前記端子群に対応した位置に、前記基材よりも剛性の高いフィルムを設けることが好ましい。
【手続補正９】
【補正対象書類名】明細書
【補正対象項目名】００２２
【補正方法】変更
【補正の内容】
【００２２】
本発明に係る接続構造は、前記基材の前記端子群が設けられた側とは反対側であって、前記端子群に平面的に重なる領域に、前記基材よりも剛性の高いフィルムが設けられていることが好ましい。この構成により前記基板接続時に、剛性の高いフィルムで補強されるので、接続が容易になる。
【手続補正１０】
【補正対象書類名】明細書
【補正対象項目名】００２３
【補正方法】変更
【補正の内容】
【００２３】
また、本発明に係る接続構造は、端子群が設けられたフレキシブル配線基板の基材と、基板側端子群が設けられた基板とを、前記端子群と前記基板側端子群とが対向するように接着剤を介して接続した構造において、前記基材の前記端子群が設けられた側とは反対側であって、前記端子群に対応した位置に、前記基材よりも剛性の高いフィルムを設けることが好ましい。
【手続補正１１】
【補正対象書類名】明細書
【補正対象項目名】００２５
【補正方法】変更
【補正の内容】
【００２５】
また、前記基材の前記端子群が設けられた側とは反対側であって、前記端子群に平面的に重なる領域に、前記基材よりも剛性の高いフィルムを設けることが好ましい。これにより端子群領域をフラットにできるのでハンドリングが容易になる。
【手続補正１２】
【補正対象書類名】明細書
【補正対象項目名】００２６
【補正方法】変更
【補正の内容】
【００２６】
さらに端子群が設けられたフレキシブル配線基板の基材と、基板側端子群が設けられた基板とを、前記端子群と前記基板側端子群とが対向するように接続した基板接続構造物であって、前記基材の前記端子群が設けられた側とは反対側の面上であって、前記基材と前記基板との接続領域と重なる領域に、前記基材よりも剛性の高いフィルムを設けた。これにより接続部が剛性の高いフィルムで補強されるので圧着部の固定が容易になり圧着の信頼性も向上する。
【手続補正１３】
【補正対象書類名】明細書
【補正対象項目名】００２７
【補正方法】変更
【補正の内容】
【００２７】
また、本発明に係る接続構造では、前記接着剤は、異方性導電接着剤または異方性導電膜を含むことが好ましい。これにより基材と基板が電気的に接続される。
【手続補正１４】
【補正対象書類名】明細書
【補正対象項目名】００２８
【補正方法】変更
【補正の内容】
【００２８】
本発明に係る接続構造においては、前記基材は前記端子群の配列方向に、前記端子群と前記基板側端子群とを接続するための第１の位置合わせマークを具備し、前記基板に、前記第１の位置合わせマークに応じた第２の位置合わせマークを具備することが好ましい。前記第１の位置合わせマークは、前記基材と前記基板との接続領域内に位置していることが好ましい。この構成によれば、前記第１の位置合わせマークは基材裏面から視認できるので、前記基材と前記基板との貼付け工程時に、精度良く位置合わせすることができる。
【手続補正１５】
【補正対象書類名】明細書
【補正対象項目名】００２９
【補正方法】変更
【補正の内容】
【００２９】
本発明に係る接続構造においては、前記基材にはカバーレイフィルムが設けられ、前期剛性が高いフィルムは前記カバーレイフィルムと同一の材料を含むことが好ましい。これにより、新たなフィルムを形成することなく、工程を簡素化することができる。
【手続補正１６】
【補正対象書類名】明細書
【補正対象項目名】００３０
【補正方法】変更
【補正の内容】
【００３０】
本発明に係る接続構造においては、前記剛性の高いフィルムは、前記端子群が設けられた領域よりも０ｍｍ以上１ｍｍ以下はみ出したはみ出し部を設けることが好ましい。この構成により、前記基材と前記基板との未圧着部分をなくすことができる。
【手続補正１７】
【補正対象書類名】明細書
【補正対象項目名】００３２
【補正方法】変更
【補正の内容】
【００３２】
本発明に係る接続構造は、前記基材にカバーレイフィルムを設けない折り曲げ部を具備することが好ましい。これにより基材の可撓性が維持される。
【手続補正１８】
【補正対象書類名】明細書
【補正対象項目名】００３３
【補正方法】変更
【補正の内容】
【００３３】
本発明に係る電気光学装置は、基板に設けられた基板側端子群と、フレキシブル配線基板の基材に設けられ、前記基板側端子群と接続される端子群と、前記基材の前記端子群が設けられた側とは反対側の面上であって、前記端子群に重なる位置に設けられた、前記基材よりも剛性の高いフィルムと、を有する。
【手続補正１９】
【補正対象書類名】明細書
【補正対象項目名】００３５
【補正方法】変更
【補正の内容】
【００３５】
本発明に係る液晶装置は、互いに対向配置されてなる一対の基板を有する液晶装置であって、前記一対の基板のうち一方の基板に設けられ、前記一対の基板のうち他方の基板の端縁から張り出した張り出し部分と、前記張り出し部分に設けられた基板側端子群と、フレキシブル配線基板の基材に設けられ、前記基板側端子群と接続される端子群と、前記基材の前記端子群が設けられた側とは反対側の面上であって、前記端子群に重なる位置に設けられた、前記基材よりも剛性の高いフィルムと、を有する